(57)【要約】【課題】少ない重量の付加で効率的に遮音欠損の発生を抑えることが可能な遮音構造体を提供する。【解決手段】パネル状に形成される遮音構造体１であって、薄膜材によって形成されて内部に気体が封入された袋体部２と、袋体部の両側の側面に密着させた複数の開口を有する面状の剛性部（粗目格子体３，細目格子体４）と、袋体部と剛性部とを積層させた状態で保持させる枠体部とを備えている。  そして、粗目格子体３の側面には、錘部６が取り付けられている。この錘部は、受音側の剛性部に取り付けられるのが好ましい。【選択図】図１
2019012205.tif 000002
【特許請求の範囲】
【請求項１】
パネル状に形成される遮音構造体であって、
薄膜材によって形成されて内部に気体が封入された袋体部と、
前記袋体部の両側の側面に密着させた複数の開口を有する面状の剛性部と、
前記袋体部と前記剛性部とを積層させた状態で保持させる枠体部とを備え、
前記剛性部の少なくとも一方の側面には、錘部が取り付けられていることを特徴とする遮音構造体。
【請求項２】
前記錘部は、受音側の剛性部に取り付けられることを特徴とする請求項１に記載の遮音構造体。
【請求項３】
前記錘部は、受音側の表面振動が大きくなる位置に取り付けられることを特徴とする請求項２に記載の遮音構造体。
【請求項４】
前記錘部は、バネ状材を介して前記剛性部に取り付けられることを特徴とする請求項１乃至３のいずれか一項に記載の遮音構造体。
【請求項５】
パネル状に形成される遮音構造体であって、
薄膜材によって形成されて内部に気体が封入された袋体部と、
前記袋体部の両側の側面に密着させた複数の開口を有する面状の剛性部と、
前記袋体部と前記剛性部とを積層させた状態で保持させる枠体部とを備え、
前記袋体部の内部には、一端が開口されて他端が閉口されたチューブ状の共鳴器が配置されていることを特徴とする遮音構造体。
【請求項６】
前記剛性部は、格子状の面状材であることを特徴とする請求項１乃至５のいずれか一項に記載の遮音構造体。
【請求項７】
前記袋体部の薄膜材が、前記剛性部の開口から膨出されるように内圧が設定されていることを特徴とする請求項１乃至６のいずれか一項に記載の遮音構造体。
【発明の詳細な説明】
【技術分野】
【０００１】
本発明は、パネル状に形成される遮音構造体に関するものである。
【背景技術】
【０００２】
工事現場などの騒音発生源を囲う防音パネル、住宅の仕切り壁、遮音壁、遮音扉などのようにパネル状の遮音構造体が、騒音などを遮断するために設置されることが知られている（特許文献１，２など参照）。
【０００３】
特許文献１，２に開示された遮音構造体は、従来の遮音壁が質量則に依存して重量が増大していたのに対し、軽量で広範な周波数領域に対して優れた遮音効果が発揮される構成としたことを特徴としている。
【０００４】
具体的には、格子状の一対の保形枠体の間に袋状の遮音部材を介在させ、遮音部材の内圧を高めて遮音部材の膜状体に大きな張力を付与して剛性を増大させることで、極めて振動し難い状態にしている。
【先行技術文献】
【特許文献】
【０００５】
【特許文献１】特許第５２０９０３７号公報
【特許文献２】特開２０１３−１９５７２９号公報
【発明の概要】
【発明が解決しようとする課題】
【０００６】
しかしながら特許文献１，２に開示された遮音構造体であっても、外形寸法が依存する固有振動数などにおいて遮音性能が欠損する帯域が発生することがある。
【０００７】
そこで、本発明は、少ない重量の付加で効率的に遮音欠損の発生を抑えることが可能な遮音構造体を提供することを目的としている。
【課題を解決するための手段】
【０００８】
前記目的を達成するために、本発明の遮音構造体は、パネル状に形成される遮音構造体であって、薄膜材によって形成されて内部に気体が封入された袋体部と、前記袋体部の両側の側面に密着させた複数の開口を有する面状の剛性部と、前記袋体部と前記剛性部とを積層させた状態で保持させる枠体部とを備え、前記剛性部の少なくとも一方の側面には、錘部が取り付けられていることを特徴とする。
【０００９】
ここで、前記錘部は、受音側の剛性部に取り付けられることが好ましい。また、前記錘部は、受音側の表面振動が大きくなる位置に取り付けられることがより好ましい。
また、前記錘部は、バネ状材を介して前記剛性部に取り付けられる構成とすることもできる。
【００１０】
また、別の発明の遮音構造体は、パネル状に形成される遮音構造体であって、薄膜材によって形成されて内部に気体が封入された袋体部と、前記袋体部の両側の側面に密着させた複数の開口を有する面状の剛性部と、前記袋体部と前記剛性部とを積層させた状態で保持させる枠体部とを備え、前記袋体部の内部には、一端が開口されて他端が閉口されたチューブ状の共鳴器が配置されていることを特徴とする。
【００１１】
また、前記剛性部は、格子状の面状材である構成とすることができる。そして、前記袋体部の薄膜材が、前記剛性部の開口から膨出されるように内圧が設定されていることが好ましい。
【発明の効果】
【００１２】
このように構成された本発明の遮音構造体は、内部に気体が封入された袋体部の両側面に剛性部が密着されるうえに、剛性部の少なくとも一方の側面には錘部が取り付けられた構成となっている。
【００１３】
このため、袋体部のそれぞれの側面において剛性部によって高められた剛性のもとに遮音効果が得られるうえに、それだけでは遮音性能が欠損する帯域に対しては、錘部によって遮音性能を引き上げることができる。すなわち、少ない重量の付加で効率的に遮音欠損の発生を抑えることが可能になる。
【００１４】
錘部は、音源側とは反対側の受音側の剛性部に取り付けることで、より高い遮音欠損の緩和効果を発揮させることができる。また、錘部を受音側の表面振動が大きくなる位置に取り付けることで、さらに効率的に遮音欠損の発生を抑えることができる。
【００１５】
また、錘部とバネ状材とを組み合わせた動吸振器を剛性部に取り付けることによっても、少ない重量の付加で、効率的に遮音欠損の発生を抑えることが可能になる。
【００１６】
一方、一端が開口されて他端が閉口されたチューブ状の共鳴器を袋体部の内部に配置することによっても、少ない重量の付加で、効率的に遮音欠損の発生を抑えることが可能になる。
【００１７】
また、格子状の面状材であれば、格子を形成する線材の幅と配置間隔と線材自体の密度の少なくとも一つを変更することによって、低周波数音や高周波数音など所望する周波数音が遮断できるようになる。
【００１８】
さらに、袋体部の薄膜材が剛性部の開口から膨出されるくらいに内圧を高めることで、より遮音効果を高めることができる。また、袋体部を複数にして、それらの側面に密着させる剛性部の数を増やすことによって、さらに多くの周波数に対して高い遮音効果を発揮させることができる。
【図面の簡単な説明】
【００１９】
【図１】本発明の実施の形態の遮音構造体の主要部の構成を説明するための断面図である。
【図２】本発明の実施の形態の遮音構造体の構成を説明するための正面図である。
【図３】遮音構造体の構成を説明するための分解斜視図である。
【図４】遮音構造体の本体部の構成を説明するための断面図である。
【図５】錘部を取り付ける面による遮音構造体の遮音性能を確認するために行った実験結果を示した図である。
【図６】表面振動が大きくなる位置を示したコンター図である。
【図７】錘部を取り付ける位置による遮音構造体の遮音性能を確認するために行った実験のケースを説明する図である。
【図８】錘部を取り付ける位置による遮音構造体の遮音性能を確認するために行った実験結果を示した図である。
【図９】錘部の重量による遮音構造体の遮音性能を確認するために行った実験結果を示した図である。
【図１０】実施例１の遮音構造体の主要部の構成を説明するための断面図である。
【図１１】動吸振器を取り付けた場合の表面振動を示したコンター図である。
【図１２】動吸振器を取り付けた場合の遮音構造体の遮音性能を確認するために行った実験結果を示した図である。
【図１３】実施例２の遮音構造体の構成を説明するための図で、（Ａ）は袋体の内部に配置する共鳴器の構成を説明する図、（Ｂ）は共鳴器が配置された遮音構造体の構成を説明する図である。
【図１４】共鳴器を配置した場合の遮音構造体の遮音性能を確認するために行った実験結果を示した図である。
【図１５】実施例３の遮音構造体の構成を説明するための分解斜視図である。
【発明を実施するための形態】
【００２０】
以下、本発明の実施の形態について図面を参照して説明する。図１−４は、本実施の形態の遮音構造体１の構成を説明するための図である。まず、図３，４を参照しながら、遮音構造体１の本体部の構成について説明する。
【００２１】
本実施の形態の遮音構造体１は、正面視略長方形などのパネル状に形成される。例えば、複数のパネル状の遮音構造体１によって、工事現場などの騒音発生源を囲うことができる。また、２つの空間を区切る仕切り壁を、複数のパネル状の遮音構造体１によって構成することもできる。
【００２２】
この遮音構造体１の本体部は、薄膜材によって形成されて内部に気体２１が封入された袋体部２と、その第１面に密着させた第１の剛性部としての粗目格子体３と、第１面の反対側の第２面に密着させた第２の剛性部としての細目格子体４と、粗目格子体３と袋体部２と細目格子体４とを積層させた状態で保持させる枠体部５とによって、主に構成される。
なお、以下では第１面と第２面を分かり易く説明するために、異なる剛性部が設けられた例によって説明するが、これに限定されるものではなく、両面とも粗目格子体３，３、両面とも細目格子体４，４という構成であってもよい。
【００２３】
袋体部２は、可撓性を有する薄膜材によって形成される。例えば、ポリエチレンシート、塩化ビニルシートなどを袋状に成形することができる。また、薄膜材の厚さは、0.01mm−1mm程度が好ましい。
【００２４】
袋体部２は、粗目格子体３と細目格子体４という両側面に配置される剛性材の拘束によって形状が変形するため、初期の形状は限定されるものではない。例えば、長方形のポリエチレンシートを二つ折りにして、縁部２２を溶着させて袋状に成形することができる。
【００２５】
また、袋体部２には、図示していないが、内部に気体２１を注入するための逆止弁付き注入口と排出口が設けられる。内部に注入する気体２１は、空気、窒素ガスなど特に限定されるものではない。
【００２６】
さらに、袋体部２の縁部２２には、正面視略長方形の弾性枠材２３を貼り付ける。弾性枠材２３は、膨張した袋体部２の滑り抜けを防ぐために配置される滑り止め材で、クロロプレンゴム、ＥＰＤＭゴム（エチレン・プロピレン・ジエンゴム）など摩擦抵抗が確保できる素材が使用できる。
【００２７】
そして、袋体部２の側面となる第１面に粗目格子体３を密着させる。粗目格子体３は、複数の開口を有する面状材である。すなわち格子の目が開口に該当する。
【００２８】
粗目格子体３には、ワイヤーメッシュ、ファインメッシュ、パンチングメタル、金網、ハニカム材等の面状材として剛性が確保できる材料が使用できる。素材としては、金属、プラスチック、紙、木材、ガラスなどが使用できる。
【００２９】
例えば粗目格子体３は、平行に配置された複数の横線材３１，・・・と、横線材３１に対して略直交するように平行に配置された複数の縦線材３２，・・・とによって形成される。
【００３０】
横線材３１と縦線材３２の交点は、溶接によって接合される。すなわち、金網のように縦横の線材を編んだだけの材料よりも、交点が溶接などによって接合されている材料の方が格子の目の形状（格子間隔）が変形しにくく好ましい。
【００３１】
粗目格子体３の開口率は、横線材３１及び縦線材３２の線径（幅）と、横線材３１及び縦線材３２のピッチ（配置間隔）によって調整することができる。開口率は、92％未満にするのが好ましい。
【００３２】
一方、粗目格子体３の面密度は、単位面積当たりの質量となるため、横線材３１及び縦線材３２の線径（幅）とピッチ（配置間隔）に加えて、横線材３１及び縦線材３２の素材（密度）によって調整することができる。
【００３３】
すなわち横線材３１及び縦線材３２が金属線であれば、プラスチック線材を使用した場合に比べて開口率が同じでも面密度を高めることができる。面密度は、1kg/m2より大きくするのが好ましい。
【００３４】
粗目格子体３が、開口率92％以上かつ面密度1kg/m2以下の場合は、遮音周波数領域で高い遮音効果が得られる周波数（以下、「ピーク遮音周波数」という。）において、充分な遮音性能を得ることができない。例えばピーク遮音周波数において20dB程度の遮音性能を確保するためには、開口率92％未満かつ面密度2kg/m2以上の粗目格子体３を使用する。
【００３５】
袋体部２の第１面の反対側の側面となる第２面にも剛性部を密着させる。以下では、剛性部として粗目格子体３と開口率及び面密度が異なる細目格子体４を使用する場合を例に説明するが、これに限定されるものではなく、第２面にも開口率及び面密度が同じとなる粗目格子体３を配置することもできる。ここで、細目格子体４は、上述した粗目格子体３と同様の構成となる。粗目格子体３と細目格子体４とは、開口率及び面密度が異なる以外の構成は同じであるため、重複する説明は省略する。
【００３６】
細目格子体４は、粗目格子体３と比較して、横線材４１及び縦線材４２の線径（幅）が小さく、横線材４１及び縦線材４２のピッチ（配置間隔）も狭い。本実施の形態では、説明を簡単にするために第１剛性部を粗目格子体３とし、第２剛性部を細目格子体４として説明するが、これに限定されるものではない。
【００３７】
枠体部５は、少なくとも袋体部２の縁部２２に沿って配置される正面視略長方形の枠材を備えている。この枠体部５は、粗目格子体３側に配置される第１枠材５１と、細目格子体４側に配置される第２枠材５２とによって主に構成される。
【００３８】
第１枠材５１及び第２枠材５２は、袋体部２の内部を高圧にして膨張させた際に、変形したり破損したりしない程度の剛性を有するように形成される。例えば、鋼材、アルミニウム、木材、プラスチックなどによって、断面視略Ｌ字形の長方形枠状に製作することができる。
【００３９】
図３の分解斜視図で示された第１枠材５１と粗目格子体３と袋体部２と細目格子体４とを積層させると、図４の断面図に示した状態となる。内部に気体２１が封入されて膨張した袋体部２の縁部２２は、弾性枠材２３，２３と粗目格子体３及び細目格子体４の縁部を介して、第１枠材５１と第２枠材５２によって挟持される。
【００４０】
一方、袋体部２の側面には、粗目格子体３（又は細目格子体４）が密着されている。袋体部２の内部は高圧になっているため、横線材３１，３１（４１，４１）と縦線材３２，３２（４２，４２）に囲まれた開口から、袋体部２の薄膜材が膨出された形態となる。
【００４１】
要するに袋体部２の薄膜材は、張力が付与された状態になる。張力が付与された薄膜材は、入射音波に対する剛性が増加するため、剛性則によって振動しにくい状態になる。さらに、粗目格子体３（又は細目格子体４）と袋体部２の薄膜材とが密着によって一体化することでも、入射音波に対する剛性を増加させることができる。
【００４２】
横線材３１，３１（４１，４１）と縦線材３２，３２（４２，４２）に囲まれた開口で仕切られた袋体部２の側面は、区画された長方形（正方形）の薄膜材の集合体とみなすことができ、１次固有振動数f0（共振周波数）を押し上げることが可能になる。
【００４３】
この共振周波数の変動は、袋体部２の薄膜材に付与される張力、粗目格子体３（又は細目格子体４）の開口率及び面密度によって調整することができる。要するに、袋体部２の２つの側面に粗目格子体３と細目格子体４という開口率及び面密度が異なる剛性部を配置した場合は、ピーク遮音周波数を変えることができるので、一つの遮音構造体１に２つのピーク遮音周波数が現れることになり、遮音周波数を広帯域化させることができるようになる。
【００４４】
さらに、本実施の形態の遮音構造体１では、本体部を構成する剛性部（粗目格子体３,細目格子体４）の少なくとも一方の側面に、錘部６が取り付けられる。以下では、図１，２に示すように、粗目格子体３側に錘部６が取り付けられた例について説明する。
【００４５】
錘部６は、重量を付加できるものであればよく、合成樹脂材、金属、ガラス、木材など材質は任意に選択することができる。一方、形態は、パネル状に形成される遮音構造体１の本体部に合わせて、板状又はシート状のものが好ましい。
ここでは、長方形の板状の錘部６を図示している。例えば、粗目格子体３の30％程度の重量となる錘部６を取り付ける。錘部６は、材質にもよるが、粗目格子体３に接着剤、両面テープ又は溶接などによって固定される。
【００４６】
次に、本実施の形態の遮音構造体１の遮音性能を確認するために行った実験結果について説明する。この実験は、残響室を用いて音響透過損失試験により音響透過損失（空気音遮断性能）を測定する方法で行った。
【００４７】
実験に使用した遮音構造体１の試料（縦920mm×横980mm）の詳細を記載する。袋体部２は、厚さ0.11mmのポリエチレンとナイロンの合成素材によって可撓性を有するように製作した。また、袋体部２の加圧条件は、500Paとして空気を封入した。
【００４８】
実験では、袋体部２の両面に細目格子体４，４を配置した。この細目格子体４には、横線材４１及び縦線材４２の線径が0.7mm、格子間隔が6.35mmの開口率が78％、面密度が0.95kg/m2となるファインメッシュを使用した。
【００４９】
まず、錘部６を音源側又は本体部を挟んだ反対側となる受音側のいずれの側面に取り付ける方が、遮音欠損の発生を抑えることができるかを確認した。ここで、錘部６としては、アルミシートとブチルゴムとが積層された制振シートを使用した。
【００５０】
図５は、横軸を周波数(Hz)とし縦軸を音響透過損失(dB)としてその実験結果を示したグラフである。この実験結果を見ると、錘部６が設置されていない場合（「設置なし」）は、63Hz帯域に遮音性能の欠損が生じているが、錘部６を取り付けることによって5dB−15dB程度、遮音性能が向上し、遮音欠損の緩和が図れることがわかる。
さらに、受音側の面に錘部６を貼付した場合は、音源側の面に貼付した場合と比べると、5dB程度の遮音性能の改善が見られ、錘部６は受音側の剛性部に取り付けるのが遮音欠損の緩和には有効であると言える。
【００５１】
続いて、錘部６を取り付ける位置について検討する。図６は、錘部６を設置していない状態の遮音構造体１Ａの表面１１において測定された音響粒子速度分布（63Hz帯域）を、コンター図で示している。この図を見るとわかるように、表面振動が大きくなる高振動部Ｐ１が、長方形の表面に十字状に現われる。
【００５２】
そこで、図７に示すように、錘部６Ａ，６Ｂ，６Ｃを取り付ける位置による遮音構造体１Ａの遮音性能を比較するための実験を行った。図７（Ａ）は錘部６Ａが遮音構造体１Ａの四隅に貼付されたケース（配置条件Ａ）、図７（Ｂ）は錘部６Ｂが遮音構造体１Ａの中央位置にのみ４枚、貼付されたケース（配置条件Ｂ）、図７（Ｃ）は錘部６Ｃが遮音構造体１Ａの中央周辺に４枚貼付されたケース（配置条件Ｃ）となる。
【００５３】
図８の実験結果に示したように、錘部６Ａ，６Ｂ，６Ｃを取り付けた場合は、配置条件に関わらず、「錘なし」のケースと比べて遮音欠損の緩和が見られる。そしてその効果は、配置条件Ｃの錘部６Ｃが遮音構造体１Ａの中央周辺に４枚貼付されたケースが最も高くなった。要するに、図６に示した高振動部Ｐ１に合わせて錘部６Ｃを取り付けることによって、高い遮音欠損の緩和効果が得られることがわかる。
【００５４】
続いて、配置条件Ｃで、錘部６Ｃの重量の違いによる遮音性能の変化を比較する実験を行った。図９にその実験結果を示す。この図を見るとわかるように、付加重量が大きくなる方が遮音欠損の緩和効果は高くなる傾向にあるが、1m2あたり275g程度以上の錘部６Ｃが取り付けられていれば、10dB−15dB程度の遮音欠損の緩和効果が得られると言える。
【００５５】
次に、本実施の形態の遮音構造体１の作用について説明する。
このように構成された本実施の形態の遮音構造体１は、内部に気体２１が封入された袋体部２の両側面に、粗目格子体３や細目格子体４などの剛性部をそれぞれ密着させる。
そして、剛性部（３，４）の少なくとも一方の側面には、板状又はシート状の錘部６が取り付けられた構成となっている。
【００５６】
このため、袋体部２のそれぞれの側面において剛性部によって高められた剛性のもとに遮音効果が得られるうえに、それだけでは遮音性能が欠損する帯域に対しては、錘部６によって遮音性能を引き上げることができる。すなわち、錘部６という少ない重量の付加で、効率的に遮音欠損の発生を抑えることができる。
【００５７】
特に、錘部６は、音源側とは反対側の受音側の剛性部（粗目格子体３又は細目格子体４）に取り付けることで、より高い遮音欠損の緩和効果を発揮させることができる。また、錘部６Ｃを受音側の表面振動が大きくなる高振動部Ｐ１に取り付けることで、さらに効率的に遮音欠損の発生を抑えることができる。
【００５８】
また、粗目格子体３と細目格子体４という２種類の剛性部を使用することで、袋体部２の両側面で異なるピーク遮音周波数を設定することができるので、２つのピーク遮音周波数が現れるだけでなく、それらの間も含めた広い帯域の周波数に対して高い遮音効果を発揮させることができる。要するに、遮音周波数範囲を拡張させることができる。
【００５９】
例えば、開口率が88％で面密度が4.3kg/m2となる粗目格子体３は、低音域（125Hz帯域前後）の騒音を低減することができる。また、開口率が78％で、面密度が0.95kg/m2となる細目格子体４は、高音域（2000Hz帯域前後）の騒音を低減させることができる。
【００６０】
このような粗目格子体３と細目格子体４の開口率及び面密度は、格子状の面状材であれば、横線材３１，４１と縦線材３２，４２の線径（幅）やピッチ（配置間隔）を変更するだけで容易に調整することができる。
【００６１】
また、横線材３１（４１）と縦線材３２（４２）の格子の交点が溶接などによって接合されていれば、袋体部２の内圧によって張力が作用しても、格子の目の形状（格子間隔）が変形しにくく、狙い通りに遮音したい周波数近辺をピーク遮音周波数に設定することができる。
【００６２】
さらに、遮音構造体１の外形をアスペクト比４以上の長方形に形成することで、正方形などのアスペクト比が４未満の外形に形成された場合に比べて、同じ材料（同じ重量及び同じ面積）で遮音効果を高めることができる。特に、低周波数音を効果的に遮断することができるようになる。
【００６３】
そして、袋体部２の薄膜材が粗目格子体３及び細目格子体４の格子の目（開口）から膨出されるくらいに内圧を高めることで、より遮音効果を高めることができる。
【００６４】
この袋体部２の内圧は50Pa以上、好ましくは100Pa以上に設定する。さらに、内圧を2000Pa以上かつ限界内圧（袋体部２が破裂する圧力）以下にすることで、２ランク（11dB）以上の非常に高い遮音効果が期待できる。
【００６５】
そして、気体２１が封入された袋体部２並びに粗目格子体３、細目格子体４及び枠体部５と錘部６とによって構成される遮音構造体１は、軽量に製作することができる。
【００６６】
すなわち質量則に依存した遮音パネルによって広帯域の周波数に対して遮音効果を発揮させようとすれば、必然的に重量と厚みが大きくなってコストが増加するだけでなく扱いにくくなって施工性が低下することになる。これに対して、軽量化された遮音構造体１であれば、工事現場や住宅内などの様々な場所に容易に設置することができる。
【００６７】
特に、質量則に依存した遮音パネルでは効果的に遮音することが難しい低周波音に対して、本実施の形態の遮音構造体１であれば軽量であっても高い遮音性能を発揮させることができる。
【実施例１】
【００６８】
以下、前記実施の形態で説明した遮音構造体１，１Ａとは別の形態の実施例１について、図１０−１２を参照しながら説明する。なお、前記実施の形態で説明した内容と同一乃至均等な部分の説明については、同一用語又は同一符号を用いて説明する。
【００６９】
本実施例１で説明する遮音構造体１Ｂは、図１０に示すように、剛性部（粗目格子体３,細目格子体４）の少なくとも一方の側面に、動吸振器７が取り付けられている。以下では、粗目格子体３側に動吸振器７が取り付けられた例について説明する。
【００７０】
動吸振器７は、錘部７１と、錘部７１に一端が接続されるバネ状材７２と、バネ状材７２の他端が接続される支持板７３とによって主に構成される。動吸振器７は、支持板７３が粗目格子体３に接着剤、両面テープ又は溶接などによって固定される。この支持板７３は、錘部７１などの重量が作用しても、たわみなどの変形が生じない程度以上の剛性を備えている。
【００７１】
錘部７１は、重量を付加できるものであればよく、合成樹脂材、金属、ガラス、木材など材質は任意に選択することができる。一方、バネ状材７２には、コイルバネ、金属などの弾性材、合成ゴム材などの錘部７１を振幅させることが可能なものが使用できる。
ここで、錘部７１及びバネ状材７２は、錘部７１の質量mとバネ状材７２のバネ定数kからから求まる固有振動数f0(＝1/2π(k/m)^0.5)が、遮音性能が欠損する周波数と一致する組み合わせのものを選定する。
【００７２】
図１１は、遮音構造体１Ｂの表面振動が大きくなる十字状の高振動部Ｐ１（図６参照）の頂点に合わせた４箇所に、動吸振器７を取り付けたときの音響粒子速度分布（63Hz帯域）をコンター図で示している。この図を見るとわかるように、動吸振器７を取り付けたことによって、図６に現われていた高振動部Ｐ１は消滅している。
【００７３】
図１２は、動吸振器７を取り付けた場合の遮音構造体１Ｂの遮音性能を確認するために行った実験結果を示した図である。この実験では、１ユニットが0.42kgの動吸振器７を使用した。
【００７４】
図１２の実験結果に示したように、動吸振器７を取り付けた場合（１ユニット、４ユニット）は、その数に関わらず「設置なし」のケースと比べて、63Hz帯域の遮音欠損の緩和が見られる。そしてその効果は、１ユニットのケースで6dB程度、４ユニットのケースで12dB程度の改善がみられた。
【００７５】
このように、錘部７１とバネ状材７２とを組み合わせた動吸振器７を剛性部（粗目格子体３,細目格子体４）に取り付けることでも、少ない重量の付加で、効率的に遮音欠損の発生を抑えることが可能になる。特に、受音側の表面振動が大きくなる位置に動吸振器７を取り付けることで、さらに効率的に遮音欠損の発生を抑えることができる。
なお、実施例１のこの他の構成及び作用効果については、前記実施の形態又は他の実施例と略同様であるため説明を省略する。
【実施例２】
【００７６】
以下、前記実施の形態及び実施例１で説明した遮音構造体１，１Ａ，１Ｂとは別の形態の実施例２について、図１３，１４を参照しながら説明する。なお、前記実施の形態又は実施例１で説明した内容と同一乃至均等な部分の説明については、同一用語又は同一符号を用いて説明する。
【００７７】
本実施例２で説明する遮音構造体１Ｃは、図１３に示すように、共鳴器８が袋体部２の内部に配置される。共鳴器８は、図１３（Ａ）に示すように、チューブ状に形成されており、一端が開放された開口部８１となり、他端が閉塞された閉口部８２となっている。
【００７８】
共鳴器８の外殻となるチューブは、ＣＤ管などの合成樹脂製可撓電線管や塩化ビニル管などによって形成される。そして、共鳴器８の開口部８１の周辺には、ガラス繊維（グラスウール（比重32KG/m3））やポリエステル繊維などの吸音材８３が充填される。
【００７９】
共鳴器８は、遮音性能が欠損する周波数の音波と同じ波長を持つ音に対して同様に気柱共鳴が発生するように、その波長のほぼ１／４に相当する長さに設定される。共鳴器８の断面形状は、任意に設定することができる。
【００８０】
共鳴器８に充填する吸音材８３は、遮音性能が欠損する周波数帯域音を効率良く吸収するために、その周波数帯域幅、吸収量が最適になるように選択される。その選択に際しては、音響アドミッタンスを考慮（Miki-model式を適用）した適当な流れ抵抗を備えるものが検討される。
【００８１】
共鳴器８は、図１３（Ｂ）に示すように、開口部８１が高振動部Ｐ１（図６参照）に配置されるように袋体部２の内部に挿入される。ここでは、開口部８１を遮音構造体１Ｃの中央に配置した。なお、共鳴器８は、太径の１本でも細径の複数本でもいずれの形態で設置してもよい。
【００８２】
図１４は、共鳴器８を配置した場合の遮音構造体１Ｃの遮音性能を確認するために行った実験結果を示した図である。この実験は、共鳴器８を袋体部２に貼り付けて行われたため、実験結果には質量付加の効果が含まれている。
まず「共鳴器の開口を塞いだ場合」と「挿入なし」のケースを比べることで、共鳴器８の質量付加の効果を確認することができる。この結果、共鳴器分の質量付加によって63Hz帯域の遮音欠損の大幅な緩和が見られることがわかる。さらに、開口部８１の有無（「共鳴器の開口あり」、「共鳴器の開口を塞いだ場合」）を比較することで、共鳴器８の気柱共鳴による緩和効果が確認でき、5dB程度の改善効果があったと言える。
【００８３】
このように、一端が開口部８１とされ他端が閉口部８２とされたチューブ状の共鳴器８を袋体部２の内部に配置することによっても、少ない重量の付加で、効率的に遮音欠損の発生を抑えることが可能になる。
なお、実施例２のこの他の構成及び作用効果については、前記実施の形態又は他の実施例と略同様であるため説明を省略する。
【実施例３】
【００８４】
以下、前記実施の形態及び実施例１，２で説明した遮音構造体１，１Ａ−１Ｃとは別の形態の実施例３について、図１５を参照しながら説明する。なお、前記実施の形態又は実施例１，２で説明した内容と同一乃至均等な部分の説明については、同一用語又は同一符号を用いて説明する。
【００８５】
本実施例３で説明する遮音構造体１Ｄは、図１５に示すように、袋体部２だけでなく第２の袋体部２Ａを備えた多層構造となっている。また、第２の袋体部２Ａが追加されるのに伴って、第３の剛性部としての格子体４Ａが追加される。
【００８６】
すなわち実施例３の遮音構造体１Ｄの本体部は、薄膜材によって形成されて内部に気体２１が封入された袋体部２と、その第１面に密着させた粗目格子体３と、第１面の反対側の第２面に密着させた細目格子体４と、薄膜材によって形成されて内部に気体２１が封入された袋体部２Ａと、袋体部２Ａの細目格子体４を密着させた側面とは反対側の側面に密着させた格子体４Ａと、粗目格子体３と袋体部２と細目格子体４と袋体部２Ａと格子体４Ａとを積層させた状態で保持させる枠体部５とによって、主に構成される。
そして、遮音構造体１Ｄの本体部には、上記した錘部６、動吸振器７又は共鳴器８のいずれかが配置される。
【００８７】
ここで、袋体部２Ａは、上述した袋体部２と同じ構成となるため、詳細な説明は省略する。また、格子体４Ａは、粗目格子体３又は細目格子体４と開口率及び面密度が同じであっても異なっていてもよい。
【００８８】
粗目格子体３と細目格子体４と格子体６２との開口率及び面密度が異なっている場合は、３つのピーク遮音周波数を出現させることができる。すなわち、袋体部（２，２Ａ）を複数にして、それらの側面に密着させる剛性部（３，４，４Ａ）の数を増やすことによって、多くの周波数に対して高い遮音効果を発揮させることができる。
なお、実施例３のこの他の構成及び作用効果については、前記実施の形態又は他の実施例と略同様であるため説明を省略する。
【００８９】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００９０】
例えば、前記実施の形態及び実施例１−３では、袋体部２に対して開口率及び面密度が異なる剛性部（粗目格子体３，細目格子体４）を密着させる場合について説明したが、これに限定されるものではなく、袋体部２の両側の側面に開口率及び面密度が同じ剛性部を密着させてもよい。
【００９１】
また、前記実施の形態及び実施例１−３では、格子状の剛性部（３，４，４Ａ）を使用する場合について説明したが、これに限定されるものではなく、複数の開口を有する剛性を備えた面状材であれば剛性部の形態は問われない。
【００９２】
さらに、前記実施の形態及び実施例１，２では袋体部２が１層、実施例３では袋体部２，２Ａが２層となる本体部の構成について説明したが、これに限定されるものではなく、袋体部を３層以上にして、それぞれの袋体部の側面に剛性部が密着される本体部の構成にすることもできる。
【符号の説明】
【００９３】
１              遮音構造体
２              袋体部
２１            気体
３              粗目格子体（剛性部）
４              細目格子体（剛性部）
５              枠体部
６              錘部
１Ｂ            遮音構造体
７              動吸振器
７１            錘部
７２            バネ状材
１Ｃ            遮音構造体
８              共鳴器
８１            開口部
８２            閉口部
１Ｄ            遮音構造体
２Ａ            袋体部
４Ａ            格子体（剛性部）
【図１】
2019012205.tif 000003
【図２】
2019012205.tif 000004
【図３】
2019012205.tif 000005
【図４】
2019012205.tif 000006
【図５】
2019012205.tif 000007
【図６】
2019012205.tif 000008
【図７】
2019012205.tif 000009
【図８】
2019012205.tif 000010
【図９】
2019012205.tif 000011
【図１０】
2019012205.tif 000012
【図１１】
2019012205.tif 000013
【図１２】
2019012205.tif 000014
【図１３】
2019012205.tif 000015
【図１４】
2019012205.tif 000016
【図１５】
2019012205.tif 000017